(57)【要約】【課題】電流分配装置に接続されるどの装置で短絡が発生した場合でも、他の健全な装置における電圧変動を抑制すること。【解決手段】本発明の電流分配装置１０においては、ポストパネル１１内のヒューズ１３の前段に配置された分岐点から、ポストパネル１１内のヒューズ１３の数に相当する配線が分岐され、各配線がポストパネル１１内の各ヒューズ１３へ個別に接続されている。【選択図】図１
2011223720.tif 000002
【特許請求の範囲】
【請求項１】
電源装置から出力された電流を複数の装置に分配する電流分配装置であって、
前記複数の装置毎に対応して設けられ、対応する装置に接続される複数の遮断器と、
前記複数の遮断器と前記電源装置との間の配線に接続されるコンデンサと、を有し、
前記複数の遮断器は、所定数（２以上の整数）個の遮断器から構成される遮断器群毎に分離され、
前記遮断器群の前段に配置された分岐点から、前記所定数個分の配線が分岐され、分岐された各配線が当該遮断器群を構成する前記所定数個の遮断器へ個別に接続されている、電流分配装置。
【請求項２】
前記コンデンサと前記分岐点との間の配線におけるインダクタンス成分は、前記遮断器群を構成する遮断器の各々と前記分岐点との間の配線におけるインダクタンス成分よりも小さい、請求項１に記載の電流分配装置。
【請求項３】
前記遮断器群毎に対応して設けられ、対応する遮断器群を構成する遮断器が搭載される電流分配装置パネルをさらに有し、
前記分岐点は、前記電流分配装置パネルの内部に設けられている、請求項１または２に記載の電流分配装置。
【請求項４】
電源装置から出力された電流を複数の装置に分配する電流分配装置であって、前記複数の装置毎に対応して設けられ、対応する装置に接続される複数の遮断器と、前記複数の遮断器と前記電源装置との間の配線に接続されるコンデンサと、を有し、前記複数の遮断器が、所定数（２以上の整数）個の遮断器から構成される遮断器群毎に分離されている電流分配装置の電圧変動抑制方法であって、
前記遮断器群の前段に配置された分岐点から、前記所定数個分の配線を分岐し、分岐された各配線を当該遮断器群を構成する前記所定数個の遮断器へ個別に接続する、電圧変動抑制方法。
【発明の詳細な説明】
【技術分野】
【０００１】
本発明は、電源装置から出力された電流を複数の装置に分配する電流分配装置およびその電圧変動抑制方法に関する。
【背景技術】
【０００２】
図８に示すように、直流給電システムにおいては、電流分配装置１０が、直流電源装置２０から出力された直流電流を複数の装置３０に分配する。なお、装置３０は、直流給電系に接続される一般的な装置であり、一例として、交換機やルータ等の通信装置が挙げられる。なお、図８においては、電路は片極のみ図示している（以下の図面において同じ）。
【０００３】
図８に示す電流分配装置１０は、複数の装置３０毎に対応して複数のヒューズ１３を設け、複数のヒューズ１３がそれぞれ対応する装置３０と直流電源装置２０に接続されている。また、複数のヒューズ１３は、所定数個（２以上の整数。図８では３個）のヒューズ１３からなるヒューズ群毎に分離され、各ヒューズ群はポストパネル（電流分配装置パネル）１１に搭載されている。
【０００４】
また、電流分配装置１０は、所定数個（１以上の整数。図８では３個）のコンデンサ１４を設け、これらのコンデンサ１４が直流電源装置２０に接続されている。また、これらのコンデンサ１４は、コンデンサボックス１２に搭載されている。
【０００５】
図８に示した直流給電システムにおいては、ヒューズ１３と装置３０との間や、装置３０の内部で短絡が発生すると、コンデンサ１４から、短絡が発生した装置３０に向けて、瞬間的に短絡電流が流れる。この短絡電流により、その装置３０に接続されたヒューズ１３が溶断し、電流分配装置１０に接続される他の健全な装置３０が保護される。
【０００６】
しかしながら、図８に示した直流給電システムには、実際には、図９に示すように、電流分配装置１０と装置３０との間や電流分配装置１０と直流電源装置２０との間、さらには電流分配装置１０内のポストパネル１１とコンデンサボックス１２との間などの配線に、抵抗成分とインダクタンス成分が存在する。
【０００７】
図８および図９に示した直流給電システムにおいては、コンデンサボックス１２は、ポストパネル１１から離れた位置にあるため、ポストパネル１１とコンデンサボックス１２との間の配線における抵抗成分とインダクタンス成分は大きい。
【０００８】
そのため、装置３０での短絡発生時に、ヒューズ１３の溶断に必要な短絡電流がコンデンサ１４から供給されにくくなるため、他の健全な装置３０からも短絡電流が吸い出され、その結果、他の健全な装置３０において電圧変動が発生してしまう。
【０００９】
そこで、特許文献１においては、上述のような電圧変動を抑制するために、図１０に示すように、ポストパネル１１毎に対応して、その直近にコンデンサ１４を配置した構成の電流分配装置１０が提案されている。詳細には、コンデンサ１４は、対応するポストパネル１１と直流電源装置２０との間の配線に接続されている。
【００１０】
特許文献１に記載の電流分配装置１０によれば、ポストパネル１１の直近にコンデンサ１４を配置することで、コンデンサ１４とヒューズ１３との間の配線における抵抗成分とインダクタンス成分を小さくでき、それにより、他の健全な装置３０における電圧変動を抑制することが可能となる。
【先行技術文献】
【特許文献】
【００１１】
【特許文献１】特開２００８−９９５２２号公報
【発明の概要】
【発明が解決しようとする課題】
【００１２】
しかしながら、図１０に示した直流給電システムには、実際には、図１１に示すように、コンデンサ１４とポストパネル１１との間と同様に、ポストパネル１１内のヒューズ１３間の配線にも抵抗成分とインダクタンス成分が存在する。
【００１３】
このとき、ヒューズ１３とコンデンサ１４との間の配線における抵抗成分とインダクタンス成分は、コンデンサ１４から離れた位置にあるヒューズ１３ほど大きくなる。
【００１４】
そのため、図１０および図１１に示した直流給電システムでも、例えば、ポストパネル１１内の右端のヒューズ１３に接続された装置３０で短絡が発生した場合、コンデンサ１４から右端のヒューズ１３に短絡電流が供給されにくいため、ポストパネル１１内の左端と中央のヒューズ１３に接続された他の健全な装置３０からも短絡電流が吸い出され、他の健全な装置３０における電圧変動を抑制できないことがある。
【００１５】
そこで、本発明の目的は、どの装置で短絡が発生した場合も、他の健全な装置における電圧変動を抑制することができる電流分配装置およびその電圧変動抑制方法を提供することにある。
【課題を解決するための手段】
【００１６】
本発明の電流分配装置は、
電源装置から出力された電流を複数の装置に分配する電流分配装置であって、
前記複数の装置毎に対応して設けられ、対応する装置に接続される複数の遮断器と、
前記複数の遮断器と前記電源装置との間の配線に接続されるコンデンサと、を有し、
前記複数の遮断器は、所定数（２以上の整数）個の遮断器から構成される遮断器群毎に分離され、
前記遮断器群の前段に配置された分岐点から、前記所定数個分の配線が分岐され、分岐された各配線が当該遮断器群を構成する前記所定数個の遮断器へ個別に接続されていることを特徴とする。
【００１７】
また、前記コンデンサと前記分岐点との間の配線におけるインダクタンス成分は、前記遮断器群を構成する遮断器の各々と前記分岐点との間の配線におけるインダクタンス成分よりも小さいことを特徴とする。
【００１８】
また、前記遮断器群毎に対応して設けられ、対応する遮断器群を構成する遮断器が搭載される電流分配装置パネルをさらに有し、
前記分岐点は、前記電流分配装置パネルの内部に設けられていることを特徴とする。
【００１９】
本発明の電流分配装置の電圧変動抑制方法は、
電源装置から出力された電流を複数の装置に分配する電流分配装置であって、前記複数の装置毎に対応して設けられ、対応する装置に接続される複数の遮断器と、前記複数の遮断器と前記電源装置との間の配線に接続されるコンデンサと、を有し、前記複数の遮断器が、所定数（２以上の整数）個の遮断器から構成される遮断器群毎に分離されている電流分配装置の電圧変動抑制方法であって、
前記遮断器群の前段に配置された分岐点から、前記所定数個分の配線を分岐し、分岐された各配線を当該遮断器群を構成する前記所定数個の遮断器へ個別に接続することを特徴とする。
【発明の効果】
【００２０】
本発明の電流分配装置は、所定数個の遮断器からなる遮断器群の前段に配置された分岐点から、所定数個分の配線が分岐され、分岐された各配線が遮断器群を構成する所定数個の遮断器へ個別に接続されている。
【００２１】
したがって、遮断器群を構成する各遮断器間の配線における抵抗成分とインダクタンス成分が存在しなくなるため、どの遮断器もコンデンサとの間の配線における抵抗成分とインダクタンス成分が一様に小さくなる。
【００２２】
よって、電流分配装置に接続されたどの装置に短絡が発生した場合でも、他の健全な装置における電圧変動を抑制するこができるという効果が得られる。
【図面の簡単な説明】
【００２３】
【図１】本発明の第１の実施形態の電流分配装置を含む直流給電システムの構成の一例を示す図である。
【図２】本発明の第１の実施形態の電流分配装置の効果を説明する図である。
【図３】本発明の第２の実施形態の電流分配装置を含む直流給電システムの構成の一例を示す図である。
【図４】本発明の第１の実施形態の電流分配装置におけるコンデンサの接続構成の一例を示す概略図である。
【図５】本発明の第１の実施形態の電流分配装置におけるコンデンサの接続構成の他の例を示す概略図である。
【図６】本発明の第１の実施形態の電流分配装置におけるコンデンサの接続構成の別の例を示す概略図である。
【図７】本発明の第１の実施形態の電流分配装置におけるコンデンサの接続構成のさらに別の例を示す概略図である。
【図８】従来の直流給電システムの構成の一例を示す図である。
【図９】図８に示した直流給電システムの等価回路図である。
【図１０】従来の直流給電システムの構成の他の例を示す図である。
【図１１】図１０に示した直流給電システムの等価回路図である。
【発明を実施するための形態】
【００２４】
以下に、本発明を実施するための形態について図面を参照して説明する。
（第１の実施形態）
図１に、本実施形態の電流分配装置１０を含む直流給電システムの構成の一例を示す。
【００２５】
図１０および図１１に示した従来の電流分配装置１０においては、ポストパネル１１の内部において、各ヒューズ１３に対してカスケードに電流を分岐していた。
【００２６】
そのため、ポストパネル１１内のヒューズ１３間の配線にも抵抗成分とインダクタンス成分が存在することとなり、その結果、特に、コンデンサ１４から離れた位置にあるヒューズ１３に接続された装置３０に短絡が発生した場合、他の健全な装置３０において短絡電流が吸い出されて電圧変動を抑制できないことがあった。
【００２７】
これに対して、本実施形態の電流分配装置１０においては、図１に示すように、ポストパネル１１内の各ヒューズ１３の前段に配置された分岐点から、ポストパネル１１内のヒューズ１３の数に相当する配線が分岐され、分岐された各配線がポストパネル１１内の各ヒューズ１３へ個別に接続されている。即ち、ポストパネル１１内の各ヒューズ１３は、上記の分岐点に対してスター接続されている。
【００２８】
これにより、ポストパネル１１内のヒューズ１３間の配線における抵抗成分とインダクタンス成分が存在しなくなるため、コンデンサ１４から離れた位置にあるヒューズ１３に接続された装置３０に短絡が発生しても、他の健全な装置３０における電圧変動を抑制するこができるという効果が得られる。
【００２９】
ここで、本実施形態の効果について、図２を参照してより具体的に説明する。なお、図２において、（ａ）は、図１０および図１１に示した従来の電流分配装置１０における短絡発生時の状態を示し、（ｂ）は、図１に示した本実施形態の電流分配装置１０における短絡発生時の状態を示している。
【００３０】
図２（ａ）に示すように、図１０および図１１に示した従来の電流分配装置１０においては、各ヒューズ１３−１〜１３−３とコンデンサ１４との間には、ポストパネル１１内のヒューズ１３−１〜１３−３間の配線における抵抗成分とインダクタンス成分が存在する。
【００３１】
そのため、コンデンサ１４から最も離れた位置にあるヒューズ１３−１とコンデンサ１４との間の配線における抵抗成分とインダクタンス成分が最も大きくなる。
【００３２】
したがって、ヒューズ１３−１に接続された装置３０−１で短絡が発生した場合、コンデンサ１４からヒューズ１３−１に短絡電流が供給されにくくなるため、他の健全な装置３０−２，３０−３から吸い出される短絡電流の割合が増え、装置３０−２，３０−３における電圧変動が大きくなってしまう。
【００３３】
これに対して、図２（ｂ）に示すように、図１に示した本実施形態の電流分配装置１０においては、各ヒューズ１３−１〜１３−３とコンデンサ１４との間には、ポストパネル１１内のヒューズ１３−１〜１３−３間の配線における抵抗成分とインダクタンス成分は存在しない。
【００３４】
そのため、各ヒューズ１３−１〜１３−３とコンデンサ１４との間の配線における抵抗成分とインダクタンス成分は、図１０および図１１に示した従来の電流分配装置１０と比べて、一様に小さくなる。
【００３５】
したがって、どの装置３０−１〜３０−３で短絡が発生したとしても、コンデンサ１４から、短絡が発生した装置３０に接続されたヒューズ１３に大きな短絡電流が供給されることになる。
【００３６】
よって、例えば、図２（ｂ）に示すように、装置３０−３で短絡が発生した場合、コンデンサ１４からヒューズ１３−３に大きな短絡電流が供給されるため、他の健全な装置３０−１，３０−２から吸い出される短絡電流の割合が減り、装置３０−１，３０−２における電圧変動を抑制することができる。
【００３７】
なお、コンデンサ１４からヒューズ１３に大きな短絡電流を供給し、他の健全な装置３０から吸い出される短絡電流の割合を減らすためには、コンデンサ１４と上記分岐点との間の配線における抵抗成分とインダクタンス成分のうち、特に、インダクタンス成分を、各ヒューズ１３と上記分岐点との間の配線におけるインダクタンス成分よりも小さくすることがより好ましい。
【００３８】
そのための手段としては、例えば、コンデンサ１４と上記分岐点との間の配線長を、各ヒューズ１３と上記分岐点との間の配線長よりも短くすることが考えられるが、特に限定はない。
（第２の実施形態）
上述したように、図１に示した第１の実施形態の電流分配装置１０においては、どの装置３０で短絡が発生したとしても、他の健全な装置３０における電圧変動を抑制することが可能となる。
【００３９】
ただし、第１の実施形態の電流分配装置１０においては、図１０および図１１に示した従来の電流分配装置１０と比較して、電流分配装置１０の本体部分とポストパネル１１との間の接続点数が多くなり、そのことに起因して別の問題が生じる。
【００４０】
即ち、電流分配装置１０の本体部分とポストパネル１１との接続部には、コネクタなどが使用されるが、ポストパネル１１に搭載されるヒューズ１３の数が多くなると、これに伴ってコネクタのピン数とコネクタに配線するケーブルの本数が増えるため、コストの上昇や電流分配装置１０のサイズが大きくなるという別の問題が生じる。
【００４１】
そこで、本実施形態の電流分配装置１０においては、図３に示すように、ポストパネル１１内の各ヒューズ１３へ配線を分岐させる分岐点をポストパネル１１の内部に設けることで、電流分配装置１０の本体部分とポストパネル１１の入力部分との接続点数を少なくするよう構成している。
【００４２】
このような構成により、電流分配装置１０の本体部分とポストパネル１１の入力部分との接続部に使用するコネクタのピン数とコネクタに配線するケーブルの本数を減らすことができ、コストの上昇や電流分配装置１０のサイズの増大を抑制することができるという効果が得られる。
【００４３】
また、本実施形態の電流分配装置１０でも、ポストパネル１１内のヒューズ１３間の配線における抵抗成分とインダクタンス成分は存在しないため、第１の実施形態と同様に、装置３０における電圧変動を抑制するという効果が得られる。
【００４４】
なお、上述した第１および第２の実施形態においては、ポストパネル１１毎に対応して、コンデンサ１４を１つ設けた構成であった。図４に、第１の実施形態のコンデンサ接続の概略図を示す。ただし、コンデンサ１４の数および接続構成はこれに限定されない。
【００４５】
例えば、図５および図６に示すように、ポストパネル１１毎に対応して、コンデンサ１４を複数（図５および図６では２個）設けた構成でも良い。
【００４６】
または、図７に示すように、コンデンサ１４を、ポストパネル１１毎に対応して設ける他に、ポストパネル１１と直流電源装置２０との間の配線上の任意の位置に追加で設けても良い。
【００４７】
また、上述した第１および第２の実施形態においては、装置３０を保護するための遮断器としてヒューズ１３を設けた構成であったが、遮断器はヒューズに限定されず、半導体遮断器等の他の遮断器でも良い。
【符号の説明】
【００４８】
１０    電流分配装置
１１    ポストパネル
１３    ヒューズ
１４    コンデンサ
２０    直流電源装置
３０    装置
【図１】
2011223720.tif 000003
【図２】
2011223720.tif 000004
【図３】
2011223720.tif 000005
【図４】
2011223720.tif 000006
【図５】
2011223720.tif 000007
【図６】
2011223720.tif 000008
【図７】
2011223720.tif 000009
【図８】
2011223720.tif 000010
【図９】
2011223720.tif 000011
【図１０】
2011223720.tif 000012
【図１１】
2011223720.tif 000013